(57)【要約】【課題】受光面側保護材への汚れの付着を抑制可能とする太陽電池モジュールの製造方法を提供する【解決手段】太陽電池モジュールの製造方法では、積層体１００のラミネート工程において、第１支持部３の対向面３Ｓに設けられる第１突起部３３上に、受光面側保護材１０１を載置する。【選択図】図１
2010050352.tif 000002
【特許請求の範囲】
【請求項１】
透光性の受光面側保護材、第１封止材、複数の太陽電池、第２封止材及び裏面側保護材を順次積層することによって形成された積層体を、加熱装置の支持部上に載置する工程Ａと、
前記加熱装置の加熱部によって、前記第１封止材及前記２封止材を加熱する工程Ｂとを備え、
前記工程Ａにおいて、
前記支持部の前記受光面側保護材と対向する対向面に設けられる突起部上に、前記受光面側保護材を載置する
ことを特徴とする太陽電池モジュールの製造方法。
【請求項２】
前記工程Ａにおいて、
前記受光面側保護材に略平行な投影面上において、前記突起部を前記複数の太陽電池間に配置する
ことを特徴とする請求項１に記載の太陽電池モジュールの製造方法。
【請求項３】
前記突起部の平面形状は線状であることを特徴とする請求項１又は２に記載の太陽電池モジュールの製造方法。
【請求項４】
前記突起部の平面形状は点状であることを特徴とする請求項１又は２に記載の太陽電池モジュールの製造方法。
【発明の詳細な説明】
【技術分野】
【０００１】
本発明は、透光性の受光面側保護材を備える太陽電池モジュールの製造方法に関する。
【背景技術】
【０００２】
太陽電池は、クリーンで無尽蔵に供給される太陽光を直接電気に変換するため、新しいエネルギー源として期待されている。このような太陽電池１枚当りの出力は数Ｗ程度である。そのため、家屋やビル等の電力源（エネルギー源）として太陽電池を用いる場合には、複数の太陽電池を備える太陽電池モジュールが用いられる。具体的には、複数の太陽電池は、透光性の受光面側保護材と裏面側保護材との間において、封止材によって封止される。
【０００３】
このような太陽電池モジュールの製造工程では、封止材を加熱するための加熱装置が用いられる。加熱装置とは、ラミネート工程において用いられるラミネート装置、及びキュア工程において用いられるキュア装置である。
【０００４】
具体的に、ラミネート工程では、ラミネート装置の支持部上に透光性の受光面側保護材、第１封止材、複数の太陽電池、第２封止材及び裏面側保護材を順次配置するとともに、第１及び第２封止材を加熱する（例えば、特許文献１参照）。これによって、第１及び第２封止材の硬化が開始され、各部材どうしが仮接着される。
【０００５】
次に、キュア工程では、キュア装置の支持部上に受光面側保護材を下向きに配置して、第１及び第２封止材をさらに加熱する。これによって、第１及び第２封止材の硬化が進行され、各部材どうしが本接着される。
【０００６】
このようなラミネート工程やキュア工程などの加熱工程では、受光面側保護材が支持部によって支持される。
【特許文献１】特開２００４−１９３４４８号公報
【発明の開示】
【発明が解決しようとする課題】
【０００７】
しかしながら、上述のラミネート工程及びキュア工程では、支持部上に残された封止材や塵などの汚れが、受光面側保護材表面に付着するおそれがあった。受光面側保護材表面に汚れが付着すると、受光面側保護材の透光性が低減されてしまう。そのため、受光面側保護材表面から汚れを除去する必要があるので、太陽電池モジュールの生産性が低下するという問題があった。
【０００８】
また、入射光の反射防止を目的として、受光面側保護材表面に微細な凹凸などが形成される場合、付着した汚れを除去することは困難である。
【０００９】
本発明は、上記の状況に鑑みてなされたものであり、受光面側保護材への汚れの付着を抑制可能とする太陽電池モジュールの製造方法を提供することを目的とする。
【課題を解決するための手段】
【００１０】
本発明の特徴に係る太陽電池モジュールの製造方法は、透光性の受光面側保護材、第１封止材、複数の太陽電池、第２封止材及び裏面側保護材を順次積層することによって形成された積層体を、加熱装置の支持部上に載置する工程Ａと、前記加熱装置の加熱部によって、前記第１封止材及前記２封止材を加熱する工程Ｂとを備え、前記工程Ａにおいて、前記支持部の前記受光面側保護材と対向する対向面に設けられる突起部上に、前記受光面側保護材を載置することを要旨とする。
【００１１】
本発明の特徴に係る太陽電池モジュールによれば、受光面側保護材は、突起部上に載置される。そのため、支持部と受光面側保護材とが接触する面積を小さくすることができる。従って、支持部の汚れが受光面側保護材に付着することを抑制することができる。
【００１２】
本発明の特徴に係る工程Ａにおいて、前記受光面側保護材に略平行な投影面上において、前記突起部を前記複数の太陽電池間に配置してもよい。
【００１３】
本発明の特徴において、前記突起部の平面形状は線状であってもよい。
【００１４】
本発明の特徴において、前記突起部の平面形状は点状であってもよい。
【発明の効果】
【００１５】
本発明によれば、受光面側保護材への汚れの付着を抑制可能とする太陽電池モジュールの製造方法を提供することができる。
【発明を実施するための最良の形態】
【００１６】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１７】
［第１実施形態］
（ラミネート装置の構成）
以下において、本発明の第１実施形態に係るラミネート装置の構成について、図面を参照しながら説明する。図１は、第１実施形態に係るラミネート装置１０の構成を示す側面図である。ラミネート装置１０は、太陽電池モジュールの製造工程において、後述する積層体１００をラミネートするための加熱装置である。
【００１８】
図１に示すように、ラミネート装置１０は、下側ハウジング１、上側ハウジング２、第１支持部３、加熱部４及びダイアフラム５を備える。
【００１９】
下側ハウジング１は、ラミネート装置１０の筐体下部を構成する。下側ハウジング１は、給排気機構を有しており、排気によって内部を真空状態にすることができる。下側ハウジング１内部には、第１支持部３と加熱部４とが設けられる。
【００２０】
上側ハウジング２は、ラミネート装置１０の筐体上部を構成する。上側ハウジング２は、給排気機構を有しており、排気によって内部を真空状態にすることができる。上側ハウジング２内部には、ダイアフラム５が設けられる。
【００２１】
第１支持部３は、積層体１００を構成する各部材を支持する。第１支持部３は、支持台３１、離型シート３２及び複数の第１突起部３３を備える。
【００２２】
支持台３１は、下側ハウジング１内に配置される。支持台３１としては、鉄、アルミニウム或いは銅などの金属板やプラスチック板などを用いることができる。
【００２３】
離型シート３２は、支持台３１の上面を覆う。図１に示すように、離型シート３２は、積層体１００（受光面側保護材１０１）と対向する対向面３Ｓを形成する。離型シート３２としては、エンボス加工が施されたフッ素樹脂シートや、フッ素樹脂が含浸されたガラスクロスシートなどを用いることができる。
【００２４】
複数の第１突起部３３は、対向面３Ｓ、すなわち、離型シート３２上において規則的に設けられる。複数の第１突起部３３は、受光面側保護材１０１を支持する。複数の第１突起部３３は、耐熱性を有する部材、例えば、金属、プラスチック、ガラスなどによって構成される。複数の第１突起部３３の構成については後述する。
【００２５】
加熱部４は、例えば、通電によって発熱する金属線である。加熱部４は、支持台３１内に設けられる。加熱部４は、支持台３１を加熱することによって、離型シート３２及び複数の第１突起部３３を介して、積層体１００を加熱する。具体的には、加熱部４は、後述するように、積層体１００を構成する第１封止材１０２及び第２封止材１０４を加熱する。
【００２６】
ダイアフラム５は、上側ハウジング２の下面を形成する。ダイアフラム５は、下側ハウジング１内及び上側ハウジング２内を真空状態とした後に、上側ハウジング２内を大気圧に戻すことによって、下側ハウジング１側に膨張される。これによって、積層体１００は加圧される。
【００２７】
ここで、支持台３１によって支持される積層体１００の構成について説明する。積層体１００は、受光面側保護材１０１、第１封止材１０２、太陽電池群１０３、第２封止材１０４、裏面側保護材１０５が順次積層されることによって構成される。
【００２８】
受光面側保護材１０１は、太陽電池モジュールの表面を保護する。受光面側保護材１０１は、透光性の平板部材によって構成される。具体的には、受光面側保護材１０１としては、ガラス、プラスチック等を用いることができる。なお、受光面側保護材１０１には、入射光を内部に閉じ込めるための反射防止加工が施されていてもよい。具体的には、受光面側保護材１０１の表面に、微細な凹凸や反射防止膜が形成されていてもよい。
【００２９】
第１封止材１０２及び第２封止材１０４は、受光面側保護材１０１と裏面側保護材１０５との間で、太陽電池群１０３を封止する。第１封止材１０２及び第２封止材１０４としては、ＥＶＡ、ＥＥＡ、ＰＶＢ、シリコン、ウレタン、アクリル、エポキシ等の透光性の樹脂を用いることができる。また、第１封止材１０２及び第２封止材１０４は、架橋剤を含む。従って、第１封止材１０２及び第２封止材１０４は、加熱部４によって所定の架橋温度以上に加熱されることにより、軟化された後、架橋が開始される。これによって、積層体１００の各構成部材どうしが仮接着される。
【００３０】
太陽電池群１０３は、複数の太陽電池１０３Ａと配線材１０３Ｂとを有する。複数の太陽電池１０３Ａは、配線材１０３Ｂによって互いに電気的に接続される。
【００３１】
裏面側保護材１０５は、太陽電池モジュールの背面を保護する部材である。裏面側保護材１０５としては、ＰＥＴ（Polyethylene Terephthalate）等の樹脂フィルム、Ａｌ箔を樹脂フィルムでサンドイッチした構造を有する積層フィルムなどを用いることができる。
【００３２】
（第１突起部の構成）
以下において、第１実施形態に係る複数の第１突起部３３の構成について、図面を参照しながら説明する。図２は、第１支持部３を対向面３Ｓ側から見た平面図である。図３は、受光面側保護材１０１に略平行な投影面図である。なお、図３では、離型シート３２、複数の第１突起部３３及び複数の太陽電池１０３Ａのみを図示している。
【００３３】
図２に示すように、複数の第１突起部３３は、平面視において、離型シート３２上で点状に設けられる。具体的には、４列の第１突起部３３が、第１方向に沿って設けられる。各列には、５個の第１突起部３３が含まれる。各第１突起部３３は、第１方向及び第２方向において、略等間隔で規則的に設けられる。
【００３４】
ここで、各第１突起部３３の断面は、台形形状を有する（図１参照）。従って、各第１突起部３３の上面３３Ｓは、平面状に形成されている。上面３３Ｓには、受光面側保護材１０１が載置される。すなわち、各第１突起部３３は、受光面側保護材１０１が載置される載置面を有する。
【００３５】
図３に示すように、各第１突起部３３は、受光面側保護材１０１に略平行な投影面上において、各太陽電池１０３Ａと重ならない。すなわち、各第１突起部３３は、各太陽電池１０３Ａの位置に合わせて配置されており、各第１突起部３３は、各太陽電池１０３Ａ間及び各太陽電池１０３Ａの外側に配置される。
【００３６】
（ラミネート工程）
次に、ラミネート装置１０によるラミネート工程について説明する。
【００３７】
まず、ラミネート装置１０の第１支持部３上に受光面側保護材１０１を載置する。具体的には、各第１突起部３３の上面（載置面）３３Ｓ上に受光面側保護材１０１を載置する。
【００３８】
次に、受光面側保護材１０１上に、第１封止材１０２、太陽電池群１０３、第２封止材１０４、裏面側保護材１０５を順次積層する。これによって、積層体１００が形成される。この際、各第１突起部３３を各太陽電池１０３Ａ間に位置するように、受光面側保護材１０１及び太陽電池群１０３の位置を微調整する。
【００３９】
次に、下側ハウジング１内及び上側ハウジング２内を真空引きした後に、上側ハウジング２内の気圧を大気圧まで戻す。これによって、ダイアフラム５を積層体１００に押し付ける。
【００４０】
この際、第１支持部３を加熱部４によって加熱しておくことによって、第１封止材１０２及び第２封止材１０４を加熱する。これによって、積層体１００を構成する各部材同士が仮接着される。
【００４１】
（キュア装置の構成）
以下において、本発明の第１実施形態に係るキュア装置の構成について、図面を参照しながら説明する。図４は、第１実施形態に係るキュア装置６０の構成を示す側面図である。キュア装置６０は、太陽電池モジュールの製造工程において、積層体１００をキュアするための加熱装置である。
【００４２】
図４に示すように、キュア装置６０は、ハウジング６及び複数の第２支持部７を備える。また、キュア装置６０は、キュア装置６０内部に温風を循環させる加熱部（不図示）を備える。
【００４３】
ハウジング６は、内部に温風を循環させる機能を有する炉である。ハウジング６内に搬入された積層体１００は、温風によって加熱される。具体的には、第１封止材１０２及び第２封止材１０４が所定の架橋温度以上に加熱されることによって、第１封止材１０２及び第２封止材１０４の架橋が促進される。これによって、積層体１００の各構成部材どうしが本接着される。
【００４４】
第２支持部７は、積層体１００を支持する。具体的には、積層体１００は受光面側保護材１０１を下向きにして配置されるため、第２支持部７は、受光面側保護材１０１を支持する。本実施形態では、図４に示すように、２つの第２支持部７によって積層体１００を支持する。各第２支持部７は、支持棒７１及び複数の第２突起部７２を備える。
【００４５】
支持棒７１は、例えば、シリコーン樹脂コーティングされた金属棒である。図４に示すように、支持棒７１は、受光面側保護材１０１と対向する対向面７Ｓを形成する。
【００４６】
複数の第２突起部７２は、対向面７Ｓ、すなわち、支持棒７１上において規則的に設けられる。複数の第２突起部７２は、受光面側保護材１０１を支持する。複数の第２突起部７２は、耐熱性を有する部材、例えば、金属、プラスチック、ガラスなどによって構成される。
【００４７】
（第２突起部の構成）
以下において、第１実施形態に係る複数の第２突起部７２の構成について、図面を参照しながら説明する。図５は、第２支持部７を対向面７Ｓ側から見た平面図である。図６は、受光面側保護材１０１に略平行な投影面図である。なお、図６では、支持棒７１、複数の第２突起部７２及び複数の太陽電池１０３Ａのみを図示している。
【００４８】
図５に示すように、複数の第２突起部７２は、平面視において、支持棒７１上で点状に設けられる。具体的には、４個の第２突起部７２が、支持棒７１の長手方向に沿って設けられる。各第２突起部７２は、長手方向において、略等間隔で規則的に設けられる。
【００４９】
ここで、各第２突起部７２の断面は、台形形状を有する（図４参照）。従って、各第２突起部７２の上面７２Ｓは、平面状に形成されている。上面７２Ｓには、受光面側保護材１０１が載置される。すなわち、各第２突起部７２は、受光面側保護材１０１が載置される載置面を有する。
【００５０】
図６に示すように、各第２突起部７２は、受光面側保護材１０１に略平行な投影面上において、各太陽電池１０３Ａと重ならない。すなわち、各第２突起部７２は、各太陽電池１０３Ａの位置に合わせて配置されており、各第２突起部７２は、各太陽電池１０３Ａ間及び各太陽電池１０３Ａの外側に配置される。
【００５１】
（キュア工程）
次に、キュア装置６０によるキュア工程について説明する。
【００５２】
まず、上記ラミネート工程において仮接着された積層体１００を、２本の第２支持部７上に載置する。具体的には、各第２突起部７２の上面（載置面）７２Ｓ上に受光面側保護材１０１を載置する。
【００５３】
次に、キュア装置６０内部に温風を循環させることによって、積層体１００を所定時間加熱する。これによって、第１封止材１０２及び第２封止材１０４は硬化され、積層体１００を構成する各部材同士が本接着される。これによって、太陽電池モジュールが形成される。
【００５４】
なお、このような太陽電池モジュールには、金属枠や端子ボックスを取り付けることができる。
【００５５】
（作用及び効果）
本実施形態に係る太陽電池モジュールの製造方法では、積層体１００のラミネート工程において、第１支持部３の対向面３Ｓに設けられる第１突起部３３上に、受光面側保護材１０１を載置する。
【００５６】
このように、受光面側保護材１０１は、第１突起部３３上に載置される。そのため、離型シート３２上に受光面側保護材１０１を直接載置する場合に比べて、第１支持部３と受光面側保護材１０１とが接触する面積を小さくすることができる。従って、ラミネート工程において、第１支持部３の汚れが受光面側保護材１０１に付着することを抑制することができる。その結果、受光面側保護材１０１の透光性の低下、及び太陽電池モジュールの生産性の低下を抑制することができる。なお、受光面側保護材表面に微細な凹凸などが形成されている場合には、汚れの除去が困難であるため特に効果的である。
【００５７】
また、ラミネート工程では、第１突起部３３を受光面側保護材１０１に略平行な投影面上において、複数の太陽電池１０３Ａ間に配置する。従って、受光面側保護材１０１のうち各太陽電池１０３Ａに向かう光を透過させる部分に汚れが付着することをさらに抑制することができる。
【００５８】
また、本実施形態に係る太陽電池モジュールの製造方法では、積層体１００のキュア工程において、第２支持部７の対向面７Ｓに設けられる第２突起部７２上に、受光面側保護材１０１を載置する。
【００５９】
従って、キュア工程において、第２支持部７の汚れが受光面側保護材１０１に付着することを抑制することができる。その結果、受光面側保護材１０１の透光性の低下、及び太陽電池モジュールの生産性の低下をさらに抑制することができる。
【００６０】
また、キュア工程では、第２突起部７２を受光面側保護材１０１に略平行な投影面上において、複数の太陽電池１０３Ａ間に配置する。従って、受光面側保護材１０１のうち各太陽電池１０３Ａに向かう光を透過させる部分における透光性の低下をより抑制することができる。
【００６１】
［第２実施形態］
以下において、本発明の第２実施形態について、図面を参照しながら説明する。以下においては、上記第１実施形態との相違点について主に説明する。具体的には、第１突起部及び第２突起部それぞれは、平面視において、線状に形成される。
【００６２】
（第１突起部の構成）
以下において、第２実施形態に係る第１支持部３が有する複数の第１突起部３３の構成について、図面を参照しながら説明する。図７は、第１支持部３を対向面３Ｓ側から見た平面図である。図８は、受光面側保護材１０１に略平行な投影面図である。
【００６３】
図７に示すように、複数の第１突起部３３は、平面視において、離型シート３２上で線状に設けられる。具体的には、２本の第１突起部３３が、第１方向に沿って設けられるとともに、５本の第１突起部３３が、第２方向に沿って略等間隔で設けられる。
【００６４】
ここで、各第１突起部３３の断面は、台形形状を有する。従って、各第１突起部３３の上面３３Ｓは、平面状に形成されている。上面３３Ｓには、受光面側保護材１０１が載置される。
【００６５】
図８に示すように、各第１突起部３３は、受光面側保護材１０１に略平行な投影面上において、各太陽電池１０３Ａと重ならない。すなわち、各第１突起部３３は、各太陽電池１０３Ａの寸法に合わせて配置されており、各太陽電池１０３Ａ間及び各太陽電池１０３Ａの外縁に沿って配置される。
【００６６】
（第２突起部の構成）
以下において、第２実施形態に係る第２突起部７２の構成について、図面を参照しながら説明する。図９は、第２支持部７を対向面７Ｓ側から見た平面図である。図１０は、受光面側保護材１０１に略平行な投影面図である。
【００６７】
図９に示すように、第２突起部７２は、支持棒７１上において、支持棒７１の長手方向に沿って線状に設けられる。
【００６８】
ここで、第２突起部７２の断面は、台形形状を有する。従って、第２突起部７２の上面７２Ｓは、平面状に形成されている。上面７２Ｓには、受光面側保護材１０１が載置される。
【００６９】
図１０に示すように、第２突起部７２は、受光面側保護材１０１に略平行な投影面上において、各太陽電池１０３Ａと重ならない。すなわち、第２突起部７２は、各太陽電池１０３Ａの寸法に合わせて配置されており、各太陽電池１０３Ａの間に配置される。
【００７０】
（ラミネート工程及びキュア工程）
本実施形態では、上記第１実施形態と同様に、ラミネート工程において、第１支持部３の対向面３Ｓに設けられる第１突起部３３上に、受光面側保護材１０１を載置する。また、キュア工程において、第２支持部７の対向面７Ｓに設けられる第２突起部７２上に、受光面側保護材１０１を載置する。従って、受光面側保護材１０１に汚れが付着することを抑制することができる。
【００７１】
（その他の実施形態）
本発明は上記の実施形態とその変形例によって記載したが、この開示の一部をなす論述及び図面はこの発明を限定するものであると理解すべきではない。この開示から当業者には様々な代替実施形態、実施例及び運用技術が明らかとなろう。
【００７２】
例えば、上記実施形態では、第１突起部３３は、離型シート３２上に形成されることとしたが、第１突起部３３は、離型シート３２と一体成形されていてもよい。この場合、第１突起部３３は、対向面３Ｓの一部を形成する。
【００７３】
また、上記実施形態では、第２突起部７２は、支持棒７１上に形成されることとしたが、第２突起部７２は、支持棒７１と一体成形されていてもよい。この場合、第２突起部７２は、対向面７Ｓの一部を形成する。
【００７４】
また、上記実施形態では、第１支持部３は、離型シート３２を備えることとしたが、第１支持部３は、離型シート３２を備えなくてもよい。この場合、第１突起部３３は、支持台３１と一体成形されていてもよい。第１突起部３３及び支持台３１は、対向面３Ｓを形成する。
【００７５】
また、上記実施形態では、第１突起部３３の上面３３Ｓは、受光面側保護材１０１が載置される載置面であるとしたが、これに限られるものではない。第１突起部３３は、上面３３Ｓを有していなくてもよい。
【００７６】
また、上記実施形態では、第２突起部７２の上面７２Ｓは、受光面側保護材１０１が載置される載置面であるとしたが、これに限られるものではない。第２突起部７２は、上面７２Ｓを有していなくてもよい。
【００７７】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００７８】
【図１】本発明の第１実施形態に係るラミネート装置１０の構成を示す側面図である。
【図２】本発明の第１実施形態に係る第１支持部３を対向面３Ｓ側から見た平面図である。
【図３】本発明の第１実施形態に係る受光面側保護材１０１に略平行な投影面図である。
【図４】本発明の第１実施形態に係るキュア装置６０の構成を示す側面図である。
【図５】本発明の第１実施形態に係る第２支持部７を対向面７Ｓ側から見た平面図である。
【図６】本発明の第１実施形態に係る受光面側保護材１０１に略平行な投影面図である。
【図７】本発明の第２実施形態に係る第１支持部３を対向面３Ｓ側から見た平面図である。
【図８】本発明の第２実施形態に係る受光面側保護材１０１に略平行な投影面図である。
【図９】本発明の第２実施形態に係る第２支持部７を対向面７Ｓ側から見た平面図である。
【図１０】本発明の第２実施形態に係る受光面側保護材１０１に略平行な投影面図である。
【符号の説明】
【００７９】
１…下側ハウジング
２…上側ハウジング
３…第１支持部
３Ｓ…対向面
４…加熱部
５…ダイアフラム
６…ハウジング
７…第２支持部
７Ｓ…対向面
１０…ラミネート装置
３１…支持台
３２…離型シート
３３…第１突起部
３３Ｓ…上面
６０…キュア装置
７１…支持棒
７２…第２突起部
７２Ｓ…上面
１００…積層体
１０１…受光面側保護材
１０２…第１封止材
１０３…太陽電池群
１０３Ａ…太陽電池
１０３Ｂ…配線材
１０４…第２封止材
１０５…裏面側保護材
【図１】
2010050352.tif 000003
【図２】
2010050352.tif 000004
【図３】
2010050352.tif 000005
【図４】
2010050352.tif 000006
【図５】
2010050352.tif 000007
【図６】
2010050352.tif 000008
【図７】
2010050352.tif 000009
【図８】
2010050352.tif 000010
【図９】
2010050352.tif 000011
【図１０】
2010050352.tif 000012